(57)【要約】【課題】  小径工具のシャンク部に付された工具情報を容易に識別することのできる小径工具用ケース及びスタンドを得る。【解決手段】  透明樹脂から一体的に成形した小径工具用ケース１０。このケース１０には、小径工具を挿入可能な貫通孔部１１及びレンズ部１２が形成されている。小径工具のシャンク部には工具のサイズや型番などの工具情報が付されており、貫通孔部に挿入された小径工具の工具情報はレンズ部１２によって拡大表示される。【選択図】  図３
2006075957.tif 000002
【特許請求の範囲】
【請求項１】
小径工具が挿入される孔部を備えたケース本体と、前記孔部の外側部分に設けたレンズ部とを備え、
前記小径工具に付された工具情報が前記レンズ部から拡大表示されること、
を特徴とする小径工具用ケース。
【請求項２】
前記孔部は前記小径工具のシャンク部を圧入可能であることを特徴とする請求項１に記載の小径工具用ケース。
【請求項３】
小径工具を収容する孔部を備えたケース本体と、前記孔部の外側部分に設けたレンズ部と、前記ケース本体の一端に嵌合可能で、かつ、小径工具のシャンク部の端部を嵌合可能なキャップと、を備え、
前記小径工具に付された工具情報が前記レンズ部から拡大表示されること、
を特徴とする小径工具用ケース。
【請求項４】
前記レンズ部は少なくともケース本体の周方向に拡大機能を有することを特徴とする請求項１〜請求項３のいずれかに記載の小径工具用ケース。
【請求項５】
前記ケース本体は透明材からなり、前記レンズ部は前記ケース本体に一体的に形成されていることを特徴とする請求項１〜請求項４のいずれかに記載の小径工具用ケース。
【請求項６】
前記ケース本体は透明材からなり、前記レンズ部は前記ケース本体に貼着されていることを特徴とする請求項１〜請求項４のいずれかに記載の小径工具用ケース。
【請求項７】
小径工具が挿入される複数の孔部をほぼ同心円状に設けたスタンド本体と、前記複数の孔部のそれぞれの外側部分に設けたレンズ部と、を備え、
前記小径工具に付された工具情報が前記レンズ部から拡大表示されること、
を特徴とする小径工具用スタンド。
【請求項８】
前記孔部は前記小径工具のシャンク部を圧入可能であることを特徴とする請求項７に記載の小径工具用スタンド。
【請求項９】
前記孔部は、前記小径工具が挿入されたとき、小径工具の先端部を突出させる深さを有し、かつ、小径工具を回転自在に保持するものであることを特徴とする請求項７に記載の小径工具用スタンド。
【請求項１０】
小径工具を載置する凹部を有するほぼ箱形状のケース本体と、前記ケース本体を開閉可能な透明材からなる蓋部材と、前記凹部に対応して前記蓋部材に設けたレンズ部と、を備え、
前記小径工具に付された工具情報が前記レンズ部から拡大表示されること、
を特徴とする小径工具用ケース。
【請求項１１】
複数の凹部を有するとともに、該凹部に対応した複数のレンズ部を有することを特徴とする請求項１０に記載の小径工具用ケース。
【請求項１２】
小径工具を保持可能であり、かつ、表面に工具情報が付された工具ケースに対する拡大表示用アタッチメントであって、
前記工具ケースの少なくとも一部を前記工具情報を覆うように圧入可能な孔部を形成したアタッチメント本体と、前記孔部の外側部分に設けたレンズ部と、を備え、
前記工具ケースに付された工具情報が前記レンズ部から拡大表示されること、
を特徴とする拡大表示用アタッチメント。
【請求項１３】
前記工具情報は前記工具ケースに貼着されたシールに付されていることを特徴とする請求項１２に記載の拡大表示用アタッチメント。
【発明の詳細な説明】
【技術分野】
【０００１】
本発明は、小径ドリルや小径ピンゲージなどの小径工具を収容保持するための小径工具用ケース、小径工具用スタンド及び拡大表示用アタッチメントに関する。
【背景技術】
【０００２】
通常、ドリル、エンドミルなどの切削工具や測定用ピンゲージなどの工具は、そのサイズ、型番、商品コードに関する情報（以下、工具情報と記す）を工具のシャンク部に表示している。近年、加工製品自体のダウンサイジングに伴い、これらの工具類に関して小径化が進んでいる。
【０００３】
このような動向に際し、小径工具は破損しやすいことから、ケースの重要性が増している。既存の小径工具用ケースは流通段階での破損、折損の防止を主たる目的として作られている。この種の小径工具用ケースは、流通段階を経た時点でその目的を果たしているが、工具ユーザーにおいてはその後も継続して小径工具の微細な刃先を保護するためのケースとして使用されているのが現状である。
【０００４】
ところで、工具にはそのシャンク部の表面に前記工具情報が付されており、小径工具にあっても、工具情報がシャンク部の表面に軸方向に付されている。しかしながら、小径であるだけに表示文字、数字のサイズが小さくなり、シャンク部の径も小さいことから、これらの表示が見難く、誤認識のおそれも有している。
【０００５】
そこで、図１４（Ａ），（Ｂ）に示すように、従来の小径工具用ケース１００（ケース本体１０１とキャップ１０２とからなる）には、その表面に前記工具情報が記されたシール１０５が貼着されている。このシール１０５はケース１００の密閉と未開封サインの目的をも果たしていることが多い。流通段階では生じないが、開封後ユーザーでは無意識のうちにシール１０５を破棄する場合やシール１０５の耐久性が低いので自然と剥離してしまうことがあり、その後は工具情報が確認し難くなる。また、小径工具用ケース１００はそもそも小型であり、シール１０５に記された工具情報の文字や数字もかなり小さいため、本来的に視認しにくい状態にある。
【０００６】
過去には、サイズごとに異なる着色を施したケースを使用するなどの対策が考えられた。しかし、近年では小径工具のサイズピッチがさらに細分化され、１／１００ピッチの品揃えも珍しくなく、ケースの色違いで容易に識別できるのは１２色程度であり、多種類の識別には限界があった。
【発明の開示】
【発明が解決しようとする課題】
【０００７】
そこで、本発明の目的は、工具情報を容易に識別することのできる小径工具用ケース及び小径工具用スタンドを提供することにある。
【０００８】
また、本発明の他の目的は、既存の小径工具用ケースを利用して工具情報を容易に識別することのできる拡大表示用アタッチメントを提供することにある。
【課題を解決するための手段】
【０００９】
以上の目的を達成するため、第１の発明に係る小径工具用ケースは、小径工具が挿入される孔部を備えたケース本体と、前記孔部の外側部分に設けたレンズ部とを備え、前記小径工具に付された工具情報が前記レンズ部から拡大表示されることを特徴とする。
【００１０】
第１の発明に係る小径工具用ケースによれば、小径工具に付された工具情報がレンズ部によって拡大表示されることにより、容易に認識することができる。
【００１１】
第１の発明に係る小径工具用ケースにあっては、孔部が小径工具のシャンク部を圧入可能であれば、小径工具を孔部に挿入する際に工具情報がレンズ部に合致するように圧入することにより、該工具情報の認識に便利である。
【００１２】
第２の発明に係る小径工具用ケースは、小径工具を収容する孔部を備えたケース本体と、前記孔部の外側部分に設けたレンズ部と、前記ケース本体の一端に嵌合可能で、かつ、小径工具のシャンク部の端部を嵌合可能なキャップとを備え、前記小径工具に付された工具情報が前記レンズ部から拡大表示されることを特徴とする。
【００１３】
第２の発明に係る小径工具用ケースによれば、小径工具のシャンク部の端部をキャップに嵌合させ、該キャップをケース本体の一端に嵌合させると、工具情報がレンズ部によって拡大表示され、容易に認識することができる。
【００１４】
第１及び第２の発明に係る小径工具用ケースにおいて、前記レンズ部は少なくともケース本体の周方向に拡大機能を有していればよい。また、ケース本体を透明材から形成し、レンズ部をケース本体に一体的に形成してもよく、あるいは、レンズ部を別体に成形してこれをケース本体に貼着してもよい。また、小径工具を１本ずつ収容保持するケースであってもよいし、複数本の小径工具を収容保持するケースであってもよい。
【００１５】
第３の発明に係る小径工具用スタンドは、小径工具が挿入される複数の孔部をほぼ同心円状に設けたスタンド本体と、前記複数の孔部のそれぞれの外側部分に設けたレンズ部とを備え、前記小径工具に付された工具情報が前記レンズ部から拡大表示されることを特徴とする。
【００１６】
第３の発明に係る小径工具用スタンドは、複数本の小径工具を孔部に挿入して保持しておくものであり、挿入した小径工具に付された工具情報がレンズ部によって拡大表示され、容易に認識することができる。
【００１７】
第３の発明に係る小径工具用スタンドにおいて、孔部は小径工具のシャンク部を圧入可能であってもよく、あるいは、小径工具が挿入されたとき、小径工具の先端部を突出させる深さを有し、かつ、小径工具を回転自在に保持するものであってもよい。前者の場合、小径工具を孔部に挿入する際に工具情報がレンズ部に合致するように圧入しておけばよい。後者の場合、工具情報がレンズ部と合致していなくても、小径工具の先端部をつまんで工具情報をレンズ部と一致するように回転させれば、該工具情報を容易に読み取ることができる。
【００１８】
第４の発明に係る小径工具用ケースは、小径工具を載置する凹部を有するほぼ箱形状のケース本体と、前記ケース本体を開閉可能な透明材からなる蓋部材と、前記凹部に対応して前記蓋部材に設けたレンズ部とを備え、前記小径工具に付された工具情報が前記レンズ部から拡大表示されることを特徴とする。
【００１９】
第４の発明に係る小径工具用ケースににあっては、小径工具をケース本体の凹部にその工具情報を上に向けて載置しておけば、蓋部材を閉じたときにレンズ部によって工具情報が拡大表示され、容易に読み取ることができる。
【００２０】
第４の発明に係る小径工具用ケースにおいて、ケース本体に複数の凹部を設けるとともに、該凹部に対応した複数のレンズ部を設ければ、複数の小径工具を収容しかつそれらの工具情報を容易に認識できる。
【００２１】
第５の発明に係る拡大表示用アタッチメントは、小径工具を保持可能であり、かつ、表面に工具情報が付された工具ケースに対する拡大表示用アタッチメントであって、前記工具ケースの少なくとも一部を前記工具情報を覆うように圧入可能な孔部を形成したアタッチメント本体と、前記孔部の外側部分に設けたレンズ部とを備え、前記工具ケースに付された工具情報が前記レンズ部から拡大表示されることを特徴とする。
【００２２】
第５の発明に係る拡大表示用アタッチメントによれば、既存の工具ケースに取り付けるだけで小さく表示された工具情報がレンズ部によって拡大表示され、容易に読み取ることができる。
【００２３】
第５の発明に係る拡大表示用アタッチメントにおいて、工具情報は工具ケースに貼着されたシールに付されたものであってもよい。
【００２４】
なお、本発明において、圧入とは、小径工具を孔部に回転ずれが生じないように軽く圧接して保持する状態をいう。要するに、孔部は工具情報がレンズ部から大きくずれないように保持できればよい。
【発明を実施するための最良の形態】
【００２５】
以下、本発明に係る小径工具用ケース、小径工具用スタンド及び拡大表示用アタッチメントのそれぞれの実施例について、添付図面を参照して説明する。
【００２６】
（小径ドリル及び小径ピンゲージ、図１及び図２参照）
まず、本発明において収容の対象となる小径ドリル及び小径ピンゲージの一例について図１及び図２を参照して説明する。
【００２７】
小径ドリル１（図１参照）は、刃部２とシャンク部３とからなり、シャンク部３の外周面の二点鎖線で示した領域４に工具情報が、例えば、刻印にて付されている。小径ピンゲージ５（図２参照）は、被測定部６とシャンク部７とからなり、シャンク部７の外周面の二点鎖線で示した領域８に工具情報が、例えば、刻印にて付されている。
【００２８】
（第１実施例、小径工具用ケース、図３及び図４参照）
第１実施例である小径工具用ケース１０は、図３（Ａ）〜（Ｄ）に示すように、透明樹脂から一体的に成形したものである。（Ａ）に示すケース１０は小径ドリル１又は小径ピンゲージ５のシャンク部３，７を圧入可能な貫通孔部１１を断面円形とし、レンズ部１２が周方向に１８０°の間隔で一体的に成形されている。（Ｂ）に示すケース１０は貫通孔部１１を断面四角形とし、レンズ部１２が周方向に１８０°の間隔で一体的に成形されている。
【００２９】
（Ｃ）に示すケース１０は貫通孔部１１を断面円形とし、レンズ部１２が周方向に９０°の間隔で一体的に成形されている。（Ｄ）に示すケース１０は貫通孔部１１を断面四角形とし、レンズ部１２が周方向に９０°の間隔で一体的に成形されている。
【００３０】
また、それぞれのケース１０において、貫通孔部１１は小径ドリル１又は小径ピンゲージ５の全長を十分に収容可能な長さとされており、かつ、シャンク部３，７が圧入可能な内径寸法とされている。
【００３１】
以上の構成からなる各小径工具用ケース１０にあっては、ドリル１又はピンゲージ５を貫通孔部１１に挿入する際に、工具情報領域４，８をいずれかのレンズ部１２に合致するように圧入しておくことにより、工具情報がレンズ部１２によって拡大表示され、容易に認識することができる。
【００３２】
なお、各ケース１０にあっては、図４に示すように、ケース１０の一端部に嵌合可能なキャップ１５を予め用意しておけば、収容したドリル１の刃部２あるいはピンゲージ５の被測定部６を保護することができる。また、ケース１０の他端部にもキャップを嵌合させれば、ドリル１やピンゲージ５の抜け落ちを確実に防止することができる。
【００３３】
ところで、レンズ部１２の大きさや拡大倍率は、ドリル１やピンゲージ５に付された工具情報のサイズに応じて最適化されることが好ましい。工具情報は通常はシャンク部３，７の軸方向に文字や数字が並列されている。従って、レンズ部１２は文字や数字を周方向に拡大する機能を備えていればよい。この場合、文字や数字は刻印時にその間隔を２倍程度に開けておけば、拡大表示が見やすくなる。この点は以下に示す各実施例においても同様である。
【００３４】
（第２実施例、小径工具用ケース、図５及び図６参照）
第２実施例である小径工具用ケース２０は、図５に示すように、透明樹脂から一体的に成形したケース本体２１の一側面に別体で成形したレンズ部２３を透明接着剤にて貼着したものである。貫通孔部２２は前記第１実施例と同様の構成、機能を有するもので、断面四角形でも円形でもあるいは他の形状であってもよい。
【００３５】
以上の構成からなる小径工具用ケース２０にあっては、ドリル１又はピンゲージ５を貫通孔部２２に挿入する際に、工具情報領域４，８をレンズ部２３に合致するように圧入しておくことにより、工具情報がレンズ部２３によって拡大表示され、容易に認識することができる。
【００３６】
なお、ケース２０にあっても、図６に示すように、ケース本体２１の一端部に嵌合可能なキャップ２５を予め用意しておけば、収容したドリル１の刃部２あるいはピンゲージ５の被測定部６を保護することができる。また、ケース本体２１の他端部にもキャップを嵌合させれば、ドリル１やピンゲージ５の抜け落ちを確実に防止することができる。
【００３７】
（第１及び第２実施例の変形例）
前記第１及び第２実施例において、貫通孔部１１，２２の断面形状はシャンク部３，７を圧入可能であればどのような形状であってもよい。また、レンズ部１２，２３の形状も工具情報を拡大表示できれば任意である。
【００３８】
あるいは、貫通孔部１１，２２はドリル１又はピンゲージ５が圧入ではなく回転自在であってもよい。この場合はドリル１又はピンゲージ５が脱落しないようにケース１０，２０の両端部にキャップを装着しておく必要がある。そして、ケース１０，２０を適宜回転させて工具情報領域４，８をレンズ部１２，２３に一致させれば、工具情報を容易に認識することができる。
【００３９】
さらに、前記ケース１０，２０は、ドリル１あるいはピンゲージ５を１本ずつ収容保持するように構成したが、複数の貫通孔部１１，２２を設けて複数本を同時に収容保持するように構成してもよい。
【００４０】
また、レンズ部１２，２３は工具情報の認識以外に、レンズ部１２，２３に小径ドリル１の刃部２を位置させれば、刃先のチッピングなども容易に見分けることができ、機械加工の不良発生を未然に防止できる。
【００４１】
第１実施例の各ケース１０においては、レンズ部１２が一つであってもよい。逆に、第２実施例のケース２０においては、各側面にレンズ部２３を貼着してもよい。レンズ部１２，２３は設置個数が多いほど認識上便利である。
【００４２】
（第３実施例、小径工具用ケース、図７参照）
第３実施例である小径工具用ケース３０は、図７に示すように、透明樹脂からなるケース本体３１とキャップ３５とで構成されている。ケース本体３１は孔部３２を有し、該孔部３２は一端が開口、他端が閉止されており、孔部３２の外側部分にはレンズ部３３が一体的に成形され、あるいは、別体に成形されたレンズ部３３が貼着されている。
【００４３】
キャップ３５はケース本体３１の一端開口部に嵌合可能であり、かつ、小径ドリル１のシャンク部３の端部を嵌合可能な凹部３６を有している。
【００４４】
この小径工具用ケース３０においては、まず、キャップ３５にドリル１を装着する。即ち、シャンク部３の端部を凹部３６に嵌合させ、このキャップ３５をケース本体３１の一端開口部に嵌合させる（図７（Ｂ）参照）。この場合、シャンク部３に付された工具情報領域４をレンズ部３３に合致させておくことにより、工具情報がレンズ部３３によって拡大表示され、容易に認識することができる。
【００４５】
（第４実施例、小径工具用スタンド、図８参照）
第４実施例である小径工具用スタンド４０は、図８に示すように、中心筒部４２と台座４３とからなるスタンド本体４１と、中心筒部４２の外周面にはめ込んだ透明樹脂にて成形された保持部４５とで構成されている。保持部４５には小径ドリル１のシャンク部３が回転自在に挿入される複数の孔部４６が同心円状に形成されており、各孔部４６の外側部分にレンズ部４７が一体的に成形されている。
【００４６】
小径ドリル１は、図８（Ｂ）に示すように、各孔部４６にシャンク部３が挿入され、刃部２は孔部４６から突出した状態で保持される。小径ドリル１をユーザーが孔部４６から取り出す際には、刃部２をつまんで小径ドリル１を適宜回転させ、工具情報をレンズ部４７に一致させれば、工具情報がレンズ部４７にて拡大表示され、容易に識別できる。
【００４７】
なお、本第４実施例において、孔部４６は小径ドリル１のシャンク部３を圧入可能であってもよい。この場合は、シャンク部３をその工具情報がレンズ部４７に合致するように圧入しておけばよい。また、保持部４５がスタンド本体４１に対して回転自在であってもよい。
【００４８】
（第５実施例、小径工具用ケース、図９〜図１１参照）
第５実施例である小径工具用ケース５０は、図９及び図１０に示すように、ケース本体５１に透明樹脂材からなる蓋部材５５を開閉自在に取り付けたものである。ケース本体５１にはピンゲージ５を並べて載置するための複数の凹部５３を形成した載置台５２が設けられている。
【００４９】
蓋部材５５の上面には複数のレンズ部５６が設けられており、個々のレンズ部５６は凹部５３に対応している。このレンズ部５６は、蓋部材５５とは別体に成形し、蓋部材５５に接着したものであってもよく、あるいは、蓋部材５５と一体的に成形したものであってもよい。
【００５０】
小径ピンゲージ５は、そのシャンク部７に形成された工具情報を上方に向けてケース本体５１の凹部５３に載置される（図１０参照）。蓋部材５５が閉じられると（図９参照）、各レンズ部５６からそれぞれの小径ピンゲージ５の工具情報が拡大表示されることになる。小径ピンゲージ５は凹部５３内で摩擦力によって自由には回転しないようにゆるく拘束されている。なお、拘束する手法は任意である。
【００５１】
（第６実施例、拡大表示用アタッチメント、図１２及び図１３参照）
第６実施例である拡大表示用アタッチメント６０は、図１４（Ａ），（Ｂ）に示した従来の小径工具用ケース１００（工具情報を表示したシール１０５が貼着されている）に装着し、シール１０５に表示された工具情報を拡大表示するようにしたものである。
【００５２】
詳しくは、透明樹脂からなるアタッチメント本体６１はケース１００を圧入可能な孔部６２を備え、孔部６２の外側部分に周方向に１８０°の間隔でレンズ部６３が一体的に成形されている。孔部６２はケース１００をシール１０５を覆う位置まで挿入可能な深さとされている。図１２には断面四角形のケース１００に対応するアタッチメント６０を例示し、図１３には断面円形のケース１００に対応するアタッチメント６０を例示している。
【００５３】
本第６実施例においては、従来のケース１００をそのまま使用して、レンズ部６３によって工具情報を拡大表示することができる。なお、工具情報は必ずしもシール１０５に表示されている必要はなく、ケース１００の表面に直接印字されていてもよい。
【００５４】
（他の実施例）
なお、本発明に係る小径工具用ケース、小径工具用スタンド及び拡大表示用アタッチメントは前記各実施例に限定するものではなく、その要旨の範囲内で種々に変更できる。
【００５５】
例えば、収容対象工具としては、小径ドリルや小径ピンゲージ以外にも、小径のシャンク部を有する工具であれば、広く対象とすることができる。また、工具情報はシャンク部以外に刃部などに付されている場合もある。
【図面の簡単な説明】
【００５６】
【図１】本発明において収容の対象となる小径ドリルを示し、（Ａ）は正面図、（Ｂ）は側面図である。
【図２】本発明において収容の対象となる小径ピンゲージを示し、（Ａ）は正面図、（Ｂ）は側面図である。
【図３】（Ａ）〜（Ｄ）ともに本発明の第１実施例である小径工具用ケースを示す斜視図である。
【図４】図３に示した小径工具用ケースにキャップを取り付けた状態を示す断面図である。
【図５】本発明の第２実施例である小径工具用ケースを示し、（Ａ）はケース本体とレンズ部との分解斜視図、（Ｂ）はケース本体とレンズ部とを一体化した状態の斜視図である。
【図６】図５に示した小径工具用ケースにキャップを取り付けた状態を示す断面図である。
【図７】本発明の第３実施例である小径工具用ケースを示し、（Ａ）は平面図、（Ｂ）は断面図である。
【図８】本発明の第４実施例である小径工具用スタンドを示し、（Ａ）は平面図、（Ｂ）は断面図である。
【図９】本発明の第５実施例である小径工具用ケース（蓋部材を閉じた状態）を示す斜視図である。
【図１０】図９に示した小径工具用ケース（蓋部材を開けた状態）を示す斜視図である。
【図１１】図９に示した小径工具用ケースの断面図である。
【図１２】本発明の第６実施例である拡大表示用アタッチメントの一例を示し、（Ａ）は斜視図、（Ｂ）は断面図である。
【図１３】本発明の第６実施例である拡大表示用アタッチメントの他の例を示し、（Ａ）は斜視図、（Ｂ）は断面図である。
【図１４】（Ａ），（Ｂ）ともに従来の小径工具用ケースを示す斜視図である。
【符号の説明】
【００５７】
１…小径ドリル
３，７…シャンク部
４，８…工具情報領域
５…小径ピンゲージ
１０，２０，３０…小径工具用ケース
１１，２２，４６…孔部
１２，２３，３３，４７…レンズ部
３２…孔部
３５…キャップ
４０…小径工具用スタンド
５０…小径工具用ケース
５１…ケース本体
５３…凹部
５５…蓋部材
５６…レンズ部
６０…拡大表示用アタッチメント
６２…孔部
６３…レンズ部
【図１】
2006075957.tif 000003
【図２】
2006075957.tif 000004
【図３】
2006075957.tif 000005
【図４】
2006075957.tif 000006
【図５】
2006075957.tif 000007
【図６】
2006075957.tif 000008
【図７】
2006075957.tif 000009
【図８】
2006075957.tif 000010
【図９】
2006075957.tif 000011
【図１０】
2006075957.tif 000012
【図１１】
2006075957.tif 000013
【図１２】
2006075957.tif 000014
【図１３】
2006075957.tif 000015
【図１４】
2006075957.tif 000016